(57)【要約】【課題】品質にバラツキが無い、肥料製造装置を提供する。【解決手段】円筒形状の容器３と、円筒形状の容器３の側周内壁面Ｓ３ｂｉに、容器３の中心軸３ａｘ方向に沿うように所定の間隔Ｗを隔てるように、円筒形状の容器３の中心軸３ａｘ方向に突出するように設けられた複数のリブ体４・・・と、複数のリブ体４・・・の隣接するリブ体４とリブ体４との間に橋渡すように設けられた複数の板体５・・・と、収容容器２を回転駆動させる回転駆動手段６とを備える。【選択図】図１
2005305346.tif 000002
【特許請求の範囲】
【請求項１】
一対の端面を備える円筒形状の容器と、前記円筒形状の容器の側周内壁面に、前記容器の中心軸方向に沿うように所定の間隔を隔てるように、前記円筒形状の収容容器の中心軸方向に突出するように設けられた複数のリブ体と、前記複数のリブ体の隣接するリブ体とリブ体との間に橋渡すように設けられた複数の板体とを備える収容容器と、
前記収容容器を回転させる回転駆動手段とを備える、分解装置。
【請求項２】
前記板体が、木製又は少なくとも貫通孔を有する多孔質体で製されている、請求項１に記載の分解装置。
【請求項３】
前記円筒形状の容器が、熱伝導性の低い材料で製されている、請求項１又は請求項２に記載の分解装置。
【請求項４】
前記円筒形状の容器の側周内壁面、前記円筒形状の容器の一対の端面、前記複数のリブ体の隣接するリブ体とリブ体、及び、前記複数のリブ体の隣接するリブ体とリブ体との間に橋渡すように設けられた複数の板体により形成される空間内に、炭を充填した、請求項１〜３のいずれかに記載の分解装置。
【請求項５】
一対の端面を有する円筒形状の容器の側周内壁面に、複数のリブ体を、前記容器の中心軸方向に沿うように所定の間隔を隔てるように、前記容器の中心軸方向に突出するように設け、複数の板体を、前記複数のリブ体の隣接するリブ体とリブ体との間に橋渡すように設けた、収容容器内に、肥料原料、微生物群、栄養源等を収容する工程と、
前記収容容器を回転させる工程とを備える、肥料の製造方法。
【請求項６】
前記板体が、木製又は少なくとも貫通孔を有する多孔質体で製されている、請求項５に記載の肥料の製造方法。
【請求項７】
前記円筒形状の容器が、熱伝導性の低い材料で製されている、請求項５又は請求項６に記載の肥料の製造方法。
【請求項８】
前記円筒形状の容器の側周内壁面、前記円筒形状の容器の一対の端面、前記複数のリブ体の隣接するリブ体とリブ体、及び、前記複数のリブ体の隣接するリブ体とリブ体との間に橋渡すように設けられた複数の板体により形成される空間内に、炭を充填した、請求項５〜７のいずれかに記載の肥料の製造方法。
【請求項９】
前記微生物群が、野菜及び／又は果物から糖質を用いて浸出させた浸出液を栄養源として増殖させた、野菜及び／又は果物の表面に常在する常在菌及び／又は空気中に浮遊している常在菌群である、請求項５〜８のいずれかに記載の肥料の製造方法。
【発明の詳細な説明】
【技術分野】
【０００１】
本発明は、分解装置及び肥料製造方法に関し、特に、品質にバラツキが無く、肥料製造中に悪臭がすることの無い、分解装置及び肥料製造方法に関する。
【背景技術】
【０００２】
木材のチップ、生ゴミその他の肥料原料を微生物群によって分解、醗酵、腐敗して肥料を製造する肥料製造装置としては、例えば、図５に示すような肥料製造装置が既に開発されている。
【０００３】
この肥料製造装置１０１は、処理容器１０２と、スクリュー手段１０３とを備える。
【０００４】
この肥料製造装置を用いて肥料を製造する際には、まず、処理容器１０２内に、木材チップや、生ゴミ等の肥料原料、微生物群、栄養源等を収容する。
【０００５】
次いで、収容容器１０２内の水分量を所定量に調整し、また、処理容器１０２内の温度を所定の温度範囲内に保持し、必要により、スクリュー手段１０３を回転させ、所定期間、木材チップや、生ゴミ等の肥料原料を、微生物群によって、分解、醗酵、腐敗して、肥料を製造する。
【特許文献１】特開平８−１３２００９号公報
【発明の開示】
【発明が解決しようとする課題】
【０００６】
しかしながら、従来の肥料製造装置１０１のような装置の処理容器１０２を、金属製のものにした場合には、金属は、熱伝導性が良いために、収容容器１０２内の温度が、外気温の影響を受けて、変動する。
【０００７】
収容容器１０２内の温度が外気温の影響を受けて変動する場合には、四季に応じて変化する外気温の差により、収容容器内の温度変化により、肥料を製造する期間（時間）が変動するため、例え、同じ装置、同じ材料、同じ量の肥料原料を用い、同じ菌種、同じ菌数の微生物群を用い、同じ時間、同じ水分量で、肥料原料を分解・醗酵・腐敗しても、製造される、肥料の品質には、四季に応じて変化する温度の影響により、バッチ間において、品質にバラツキが生じる。
【０００８】
また、上記した従来の肥料製造装置１０１のように、攪拌手段として、収容容器１０２の中心軸又はその近傍位置に回転軸（図５に示す回転軸１０３ａｘを参照）を設け、フィン１０３ｆを設けたスクリュー手段１０３や、回転軸に軸方向に複数のパドル手段を設けたものを用い、回転軸を回転させて、収容容器１０２内の肥料原料を攪拌させるような装置では、収容容器１０２の内壁近傍の肥料原料を十分に攪拌することができず、肥料原料に十分に攪拌される部分とあまり攪拌されない部分とが生じ、肥料原料の攪拌ムラが起こる。このようにして、肥料原料の攪拌ムラが生じると、製造される肥料が均質なものにならない、という問題が生じる。
【０００９】
また、肥料製造装置１０１のような装置では、処理容器１０２内に収容した、木材チップや、生ゴミ等の肥料原料を微生物群を用いて分解、醗酵、腐敗する過程において、装置周辺で、有機物が分解される過程で生じる腐敗臭の対策のために、腐敗臭を発生し難い微生物群を選択する等の対策を施しているが、そのような対策は、腐敗臭がするという問題を完全には解決することができず、更に、改良する必要がある。
【００１０】
また、上記した従来の肥料製造装置１０１を用い、肥料を製造する際に、まず、処理容器１０２内に、木材チップや、生ゴミ等の肥料原料、微生物群、栄養源等を収容し、次いで、収容容器１０２内の水分量を所定量に調整し、また、収容容器１０２内の温度を所定の温度範囲内に保持し、必要により、スクリュー手段１０３を回転させ、所定期間、木材チップや、生ゴミ等の肥料原料を、微生物群によって、分解、醗酵、腐敗して、肥料を製造し、その後、収容容器１０２内に製造されている肥料を取り出すという工程を繰り返す、所謂、バッチ式の肥料製造方法では、バッチ毎に、増殖する微生物群の種類、菌数のバラツキが生じやすく、このことが原因となって、バッチ毎に製造される肥料の品質にバラツキが生じることも起こる。
【００１１】
本発明は、以上のような問題を解決するためになされたものであって、収容容器内の温度が、外気温の影響を受け難く、収容容器内の収容物に攪拌ムラが生じ難く、収容容器内に収容した肥料原料を分解、醗酵、腐敗する過程で生じる発生する腐敗臭が、装置周辺で発生することが無く、また、バッチ毎に製造される肥料の品質にバラツキが生じ難い、分解装置及び肥料製造方法を提供することを目的としている。
【課題を解決するための手段】
【００１２】
請求項１に記載の分解装置は、一対の端面を有する円筒形状の容器と、円筒形状の容器の側周内壁面に、容器の中心軸方向に沿うように所定の間隔を隔てるように、円筒形状の容器の中心軸方向に突出するように設けられた複数のリブ体と、複数のリブ体の隣接するリブ体とリブ体との間に橋渡すように設けられた複数の板体とを備える収容容器と、収容容器を回転させる回転駆動手段とを備える。
【００１３】
請求項２に記載の分解装置は、請求項１に記載の分解装置の、板体が、木製又は少なくとも貫通孔を有する多孔質体で製されている。
【００１４】
請求項３に記載の分解装置は、請求項１又は請求項２に記載の分解装置の、円筒形状の容器が、熱伝導性の低い材料で製されている。
【００１５】
請求項４に記載の分解装置は、請求項１〜３のいずれかに記載の分解装置の、円筒形状の容器の側周内壁面、円筒形状の容器の一対の端面、複数のリブ体の隣接するリブ体とリブ体、及び、複数のリブ体の隣接するリブ体とリブ体との間に橋渡すように設けられた複数の板体により形成される空間内に、炭を充填した。
【００１６】
請求項５に記載の肥料の製造方法は、一対の端面を有する円筒形状の容器の側周内壁面に、複数のリブ体を、容器の中心軸方向に沿うように所定の間隔を隔てるように、容器の中心軸方向に突出するように設け、複数の板体を、複数のリブ体の隣接するリブ体とリブ体との間に橋渡すように設けた、収容容器内に、肥料原料、微生物群、栄養源等を収容する工程と、収容容器を回転させる工程とを備える。
【００１７】
請求項６に記載の肥料の製造方法は、請求項５に記載の肥料の製造方法の、板体が、木製又は少なくとも貫通孔を有する多孔質体で製されている。
【００１８】
請求項７に記載の肥料の製造方法は、請求項５又は請求項６に記載の肥料の製造方法で用いる、円筒形状の容器が、熱伝導性の低い材料で製されている。
【００１９】
請求項８に記載の肥料の製造方法は、請求項５〜７のいずれかに記載の肥料の製造方法で用いる、円筒形状の容器の側周内壁面、円筒形状の収容容器の一対の端面、複数のリブ体の隣接するリブ体とリブ体、及び、複数のリブ体の隣接するリブ体とリブ体との間に橋渡すように設けられた複数の板体により形成される空間内に、炭を充填した。
【００２０】
請求項９に記載の肥料の製造方法は、請求項５〜８のいずれかに記載の肥料の製造方法で用いる、微生物群が、野菜及び／又は果物から糖質を用いて浸出させた浸出液を栄養源として増殖させた、野菜及び／又は果物の表面に常在する常在菌及び／又は空気中に浮遊している常在菌群である。
【００２１】
この微生物群を含む醗酵液は、例えば、ひのき、杉その他の木材のおがくずに入れ、長期間（例えば、６ヶ月以上９ヶ月以下の期間）、攪拌を適宜しながら、ひのき、杉その他の木材のおがくずを醗酵させ、これを上記した分解装置の収容容器中に、必要により、栄養源や生ごみ等とともに入れ、収容容器を、適宜、回転させて、肥料を製造するのが、好ましい。
【発明の効果】
【００２２】
請求項１に記載の分解装置では、収容容器の側周面を、円筒形状の容器の側周壁面と、隣接するリブ体とリブ体との間に橋渡すように設けた複数の板体の２重構造としたので、収容容器内の、複数のリブ体、隣接するリブ体とリブ体との間に橋渡すように設けた複数の板体より内側の空間領域が、外気温の影響を受け難い。
【００２３】
この結果、この分解装置を用いれば、収容容器内の、複数のリブ体、隣接するリブ体とリブ体との間に橋渡すように設けた複数の板体より内側の空間領域が、外気温の影響を受け難いので、外気温の影響を受けることなく、即ち、季節による温度変動の影響を受けることなく、バッチ間で品質のバラツキの無い、肥料を製造することができる。
【００２４】
また、この分解装置は、円筒形状の容器の側周内壁面に、円筒形状の容器の中心軸方向に沿うように所定の間隔を隔てるように、円筒形状の容器の中心軸方向に突出するように設けられた複数のリブ体を備える収容容器を、回転駆動手段を駆動することで、回転できるようにしているので、収容容器を回転させれば、複数のリブ体が、収容容器内に収容された収容物を引っ掛けて上方に持ち上げ、上方から収容物を落下させるという動作を行える。
【００２５】
即ち、この分解装置を用いれば、収容容器内に収容された収容物を万遍なく攪拌できるので、例えば、この装置を用いて、肥料を製造する場合を例にしてその効果を説明すれば、品質にバラツキの無い、肥料を製造できる。
【００２６】
請求項２に記載の分解装置では、板体として、木製又は少なくとも貫通孔を有する多孔質体を用いている。
【００２７】
このため、例えば、この装置を用いて肥料を製造する場合を例にとって説明すると、肥料原料や、微生物群等を収容容器内に収容し、微生物群を用いて、肥料原料を分解、醗酵、腐敗して肥料を製造した場合、微生物群が、板体内に住み着くことができる。
【００２８】
または、板体にある貫通孔を通って、収容容器の側周内壁面、収容容器の一対の端面、複数のリブ体の隣接するリブ体とリブ体、及び、複数のリブ体の隣接するリブ体とリブ体との間に橋渡すように設けられた複数の板体により形成される空間内に住み着くことができる。
【００２９】
従って、この分解装置を用いて、肥料等を製造した場合、肥料を製造する工程が、バッチ式であっても、収容容器内には、過去に肥料を製造した際の微生物群が住み着いているので、この微生物群が、例えば、肥料の製造に好適な菌である場合には、品質の良い、肥料を継続的に製造できる。
【００３０】
即ち、この分解装置を用いて、肥料等を製造した場合を例にして説明すると、この分解装置を用いれば、バッチ間で品質にバラツキの無い、肥料を製造できる。
【００３１】
請求項３に記載の分解装置では、円筒形状の容器の材料として、熱伝導性の低い材料を用い、収容容器内が、外気温の影響を受け難いようにしているので、外気温の影響を受けることなく、即ち、季節による温度変動の影響を受けることなく、バッチ間で品質のバラツキの無い、肥料を製造することができる。
【００３２】
請求項４に記載の分解装置では、収容容器の一対の端面、複数のリブ体の隣接するリブ体とリブ体、及び、複数のリブ体の隣接するリブ体とリブ体との間に橋渡すように設けられた複数の板体により形成される空間内に、炭を充填しているので、例えば、肥料原料を微生物群で分解、醗酵、腐敗させて、肥料にする際に、有機物が分解されても、その悪臭（腐敗臭）が、炭に吸着されるので、この分解装置を用いて、収容容器内に収容した収容物を分解する際に、装置の近傍においても、悪臭がしない。
【００３３】
また、炭に微生物群が住み着くので、そのような微生物群が、例えば、肥料の製造に好適な菌である場合には、品質の良い、肥料を継続的に製造できる。
【００３４】
即ち、この分解装置を用いれば、バッチ間で品質にバラツキの無い、肥料等を製造できる。
【００３５】
請求項５に記載の肥料の製造方法では、収容容器として、円筒形状の容器の側周内壁面に、複数のリブ体を、容器の中心軸方向に沿うように所定の間隔を隔てるように、容器の中心軸方向に突出するように設け、複数の板体を、複数のリブ体の隣接するリブ体とリブ体との間に橋渡すように設けたものを用い、この収容容器内に、肥料原料、微生物群、栄養源等を収容した後、収容容器を回転させて、肥料を製造するようにしている。
【００３６】
即ち、この肥料の製造方法では、収容容器の側周面を、収容容器の側周壁と、隣接するリブ体とリブ体との間に橋渡すように設けた複数の板体の２重構造としたので、収容容器内の、複数のリブ体、隣接するリブ体とリブ体との間に橋渡すように設けた複数の板体より内側の空間領域が、外気温の影響を受け難い。
【００３７】
この結果、この肥料の製造方法を用いれば、収容容器内の、複数のリブ体、隣接するリブ体とリブ体との間に橋渡すように設けた複数の板体より内側の空間領域が、外気温の影響を受け難いので、外気温の影響を受けることなく、即ち、季節による温度変動の影響を受けることなく、バッチ間で品質のバラツキの無い、肥料を製造することができる。
【００３８】
また、この肥料の製造方法では、円筒形状の容器の側周内壁面に、収容容器の中心軸方向に沿うように所定の間隔を隔てるように、円筒形状の収容容器の中心軸方向に突出するように設けられた複数のリブ体を備える収容容器を用い、回転駆動手段を駆動することで収容容器を回転できるようにしているので、収容容器を回転させれば、複数のリブ体が、収容容器内に収容された収容物を引っ掛けて上方に持ち上げ、上方から収容物を落下させるという動作を行える。
【００３９】
即ち、この肥料の製造方法を用いれば、収容容器内に収容された収容物を万遍なく攪拌できるので、例えば、この肥料の製造方法を用いて、肥料を製造すれば、品質にバラツキの無い、肥料を製造できる。
【００４０】
請求項６に記載の肥料の製造方法では、板体として、木製又は少なくとも貫通孔を有する多孔質体で製されているものを用いている。
【００４１】
このため、例えば、この肥料の製造方法を用いれば、肥料原料や、微生物群等を収容容器内に収容し、微生物群を用いて、肥料原料を分解、醗酵、腐敗して、肥料を製造した場合、微生物群が、板体内に住み着くことができる。
【００４２】
または、板体にある貫通孔を通って、収容容器の側周内壁面、収容容器の一対の端面、複数のリブ体の隣接するリブ体とリブ体、及び、複数のリブ体の隣接するリブ体とリブ体との間に橋渡すように設けられた複数の板体により形成される空間内に住み着くことができる。
【００４３】
従って、この肥料の製造方法を用いて、肥料等を製造した場合、肥料を製造する工程が、バッチ式であっても、収容容器内には、過去に肥料を製造した際の微生物群が住み着いているので、この微生物群が、例えば、肥料の製造に好適な菌である場合には、品質の良い、肥料を継続的に製造できる。
【００４４】
即ち、この肥料の製造方法を用いれば、バッチ間で品質にバラツキの無い、肥料を製造できる。
【００４５】
請求項７に記載の肥料の製造方法では、円筒形状の容器の材料として、熱伝導性の低い材料を用い、収容容器内が、外気温の影響を受け難いようにしているので、外気温の影響を受けることなく、即ち、季節による温度変動の影響を受けることなく、バッチ間で品質のバラツキの無い、肥料を製造することができる。
【００４６】
請求項８に記載の肥料の製造方法では、収容容器の側周内壁面、収容容器の一対の端面、前記複数のリブ体の隣接するリブ体とリブ体、及び、複数のリブ体の隣接するリブ体とリブ体との間に橋渡すように設けられた複数の板体により形成される空間内に、炭を充填しているので、肥料原料を微生物群で分解、醗酵、腐敗させて、肥料にする際に、有機物が分解されても、その悪臭（腐敗臭）が、炭に吸着されるので、この分解装置を用いて、収容容器内に収容した収容物を分解する際に、装置の近傍においても、悪臭がしない。
【００４７】
また、炭に微生物群が住み着くので、そのような微生物群が、例えば、肥料の製造に好適な菌である場合には、品質の良い、肥料を継続的に製造できる。
【００４８】
即ち、この肥料の製造方法を用いれば、バッチ間で品質にバラツキの無い、肥料を製造できる。
【００４９】
請求項９に記載の肥料の製造方法では、肥料原料を分解、醗酵、腐敗させるための微生物群として、野菜及び／又は果物から糖質を用いて浸出させた浸出液を栄養源として増殖させた、野菜及び／又は果物の表面に常在する常在菌及び／又は空気中に浮遊している常在菌群を用いている。
【００５０】
このような方法で得られる醗酵物は、酵母、乳酸菌その他の好気性菌又は嫌気性菌であり、飲用可能なものであることが知られている。
【００５１】
この肥料の製造方法で製造される肥料中には、病原性の菌が産出するような毒素が存在していないので、安全性に優れている。
【００５２】
また、この肥料では、肥料中に微生物群を生菌として含んでいるので、この肥料を土壌に撒いた場合、肥料中に含まれる微生物群が、土壌中に繁殖し、土壌改良を行える。
【００５３】
且つ、この肥料の製造方法で製造される肥料中には、好気性菌又は嫌気性菌が含まれているので、この製造方法によって製造した肥料を土中に撒くと、これらの菌が、植物の成長にとって都合の良い土壌菌となるので、野菜や果物等の農作物を育成した場合、単に化学肥料や液肥のみを与えた場合に比べ、同じ期間の育成期間で、大きな野菜や果実、果実にあっては糖度の高く、味の良い果実を、また、野菜にあっては、味のある、味の良い野菜を生産できる。
【００５４】
また、ひのき、杉その他の木材のおがくずに入れ、長期間（例えば、６ヶ月以上９ヶ月以下の期間）、攪拌を適宜しながら、ひのき、杉その他の木材のおがくずを醗酵させ、これを上記した分解装置の収容容器中に、ひのき、杉その他の木材のおがくずの醗酵物が主たる肥料原料となるように、また、必要により、栄養源や生ごみ等とともに入れ、収容容器を、適宜、回転させて、肥料を製造した場合には、微生物群中には、病原性微生物群が他の微生物群の食菌作用により、含まれていないか、殆ど含まれていない状態になる。
【００５５】
更に、ひのき、杉その他の針葉樹を主たる肥料原料として用いた場合には、ひのき、杉その他の針葉樹に含まれている、ヒノキチオールその他の精油成分の働きにより、製造された肥料には、防虫効果があるので、農薬を使用する必要がなくなったり、農薬の使用量を減らすことができたりする、という効果もある。
【発明を実施するための最良の形態】
【００５６】
以下、本発明に係る分解装置（この例では、肥料製造装置）及び肥料製造方法の一例を図面を参照しながら、更に、詳しく説明する。
【００５７】
図１は、本発明に係る分解装置（この例では、肥料製造装置）の一例を模式的に示す断面図であり、図２は、図１に示す分解装置（この例では、肥料製造装置）を模式的に示す正面図であり、また、図３は、図２中、Ａ−Ａ線に従う、図１に示す分解装置（この例では、肥料製造装置）の模式的な一部切欠き斜視図である。
【００５８】
この分解装置（肥料製造装置）１は、収容容器２と、収容容器２を回転駆動させる回転駆動手段６とを備える。
【００５９】
収容容器２は、一対の端面Ｓ３ａ、Ｓ３ａを有する円筒形状の容器３と、この容器３の側周面Ｓ３ｂに、容器３の中心軸３ａｘ方向に沿うように所定の間隔Ｗを隔てるように、容器３の中心軸３ａｘ方向に突出するように設けられた複数のリブ体４・・・と、複数のリブ体４・・・の隣接するリブ体４とリブ体４との間に橋渡すように設けられた複数の板体５・・・とを備える。
【００６０】
収容容器２は、気密性が高いよりは、一対の端面Ｓ３ａ、Ｓ３ａの各々を酒樽の蓋のように、複数の板体を貼合わせたり、または、数ミリ程度（約１ｍｍ〜約３ｍｍ程度）の貫通孔を複数箇所設けるようにしたりして、収容容器２内の水分が、醗酵熱等により、大気（外気）中へ、緩やかに蒸散するようなものが、好ましい。
【００６１】
容器３は、熱伝導性の低い材料で製されている。この例では、容器３として、樹脂製のものを用いているが、容器３は、熱伝導性の低い材料で製されていればよく、樹脂に限定されることはない。
【００６２】
容器３の構成材料として樹脂を用いる場合、樹脂は、塩化ビニルであっても、ポリエチレンテレフタレートであっても、ポリエチレン等であってもよく、また、熱可塑性樹脂であっても、熱硬化性樹脂であってもよい。
【００６３】
尚、この例では、容器３は、黒色のものを用いている。
【００６４】
図４は、リブ体４の形状と、リブ体４と板体５との関係を模式的に示す断面図である。
【００６５】
この例では、リブ体４として、その断面形状が、略Ｔ字形状のものを用いている。
【００６６】
リブ体４の底面Ｓ４ａは、平面であってもよいが、この例では、円筒形状の容器３の側周内壁面Ｓ３ｂｉへの密着性を考慮して、円筒形状の容器３の側周内壁面Ｓ３ｂｉの曲率Ｒ３に等しいか概ね等しいものを用いている。
【００６７】
また、リブ体４の板体５を受ける台座部ｐ５の表面から突起の先端部ｅ４までの高さｈ４は、板体５の板厚ｄ５より長くされており、リブ体４に板体５を取り付けた後の状態においても、リブ体４の突起ｐ４は、板体の５の表面から、容器３の中心軸３ａｘ方向に突出するようにされている。
【００６８】
また、この例では、リブ体４・・・及び板体５・・・の各々として、木製のものを用いている。
【００６９】
また、板体５として木材を用いる場合は、一枚板である必要はなく、複数の板を貼り合わせたようなものであってもよい。
【００７０】
また、板体には、数ミリ程度（約１ｍｍ〜約３ｍｍ程度）の貫通孔を複数箇所設けるようにし、収容容器２内の、複数のリブ体４・・・、隣接するリブ体４とリブ体４との間に橋渡すように設けた複数の板体５・・・より内側の空間領域と、リブ体４・・・と板体５・・・とのより形成される空間領域との間で、微生物群が行き来できるようにすることが好ましい。
【００７１】
また、この例では、回転駆動手段６は、電動モータ等の回転動力手段６ａと、収容容器２の一方の端面の外側に設けられた回転車６ｂと、回転動力手段６ａの回転軸６ａａｘに取り付けられた回転車６ｃと、回転車６ｂに動力を伝えるために、回転車６ｂと回転車６ｃとの間をつなぐ動力伝達ベルト手段６ｄとを備える。
【００７２】
尚、図１及び図２中、Ｄで示す部材は、収容容器２内に、例えば、木材のチップ、生ゴミその他の肥料原料や、微生物群や、水を入れる際や、収容容器２内に製造された肥料等を取り出す際に用いる開閉扉を示している。
【００７３】
また、Ｐで示す部材装置は、収用容器２を回転可能に支持する支柱を示している。
【００７４】
また、この分解装置（肥料製造装置）１では、収容容器２の側周内壁面Ｓ３ｂｉ、収容容器２の一対の端面Ｓ３ａ、Ｓ３ａ、複数のリブ体４・・・の隣接するリブ体４とリブ体４、及び、複数のリブ体４・・・の隣接するリブ体４とリブ体４との間に橋渡すように設けられた複数の板体５・・・により形成される空間Ｓｐ・・・内に、炭７・・・を充填している。
【００７５】
このように、炭７は、小片又は粒子状のものが好ましい。
【００７６】
また、炭材については、備長炭、竹炭、活性炭等、消臭作用や、微生物群が生育できるような炭材が好ましい。
【００７７】
次に、この分解装置（肥料製造装置）１を用いて肥料を製造する肥料の製造方法を例示的に説明する。
【００７８】
まず、野菜及び／又は果物から糖質を用いて浸出させた浸出液を栄養源として増殖させた、野菜及び／又は果物の表面に常在する常在菌及び／又は空気中に浮遊している常在菌群の入った溶液を準備する。
【００７９】
この溶液（醗酵液）を製造する際には、病原性の細菌が増殖しないように、野菜及び／又は果物を十分に水で洗浄し、洗浄した野菜及び果実を無菌室内で無菌状態を維持するようにして、小片にスライスしたり、小片に粉砕したりする。
【００８０】
次に、無菌状態にした樽に、スライス又は粉砕した野菜及び／又は果物をその表面を、例えば、砂糖（糖質）で覆うようにしながら順次漬け込んでいく。
【００８１】
樽内への野菜及び／又は果物の砂糖（糖質）の漬け込み作業が終了した後、室温下で、暗室内で、所定期間（例えば、１ヶ月〜２ヶ月）、自然発酵させる。
【００８２】
野菜を構成する細胞や、果実を構成する細胞と、砂糖との浸透圧の関係で、野菜から野菜汁が浸出し、及び／又は、果実から果汁が浸出し、この浸出液を栄養源として、酵母や乳酸菌等の病原性細菌を除いた菌（好気性菌及び嫌気性菌）が増殖し、菌（好気性菌及び嫌気性菌）を生菌状態で含有する醗酵液が得られる。
【００８３】
このような方法で得られる醗酵物は、飲用可能なものである。
【００８４】
次に、収容容器２の開閉扉Ｄを開き、収容容器２内に、ヒノキ、杉その他の木材チップや、おがくずや、生ゴミ等の肥料原料、上記により製造した菌（好気性菌及び嫌気性菌）を生菌状態で含有する醗酵液、鶏糞等、及び、所定量の水を入れる。水分量は、全体量の４０重量％以上７０重量％にすることが好ましく、更に好ましくは、全体量の６０重量％以上６５重量％である。
【００８５】
その後、開閉扉Ｄを閉じた状態にする。
【００８６】
次に、必要により、回転駆動手段６を駆動して、収容容器２を回転させる。
【００８７】
収容容器２の回転操作は、肥料原料を微生物群を用いて、分解、醗酵、腐敗させている間、常時、行う必要はない。
【００８８】
例えば、朝方に、回転駆動手段６を駆動して、収容容器２を回転させてもよく、夕方に、回転駆動手段６を駆動して、収容容器２を回転させてもよく、朝夕２回程度、回転駆動手段６を駆動して、収容容器２を回転させてもよい。
【００８９】
また、回転速度は、特に限定されることはないが、１分間に、収容容器２が、１回転〜３回転ぐらいするような速度で十分である。
【００９０】
また、収容容器２の一回操作当たりの回転数も、１回〜３回程度でも十分である。
【００９１】
このような操作を、約１ヶ月〜約２ヶ月継続して行う。
【００９２】
すると、肥料原料が微生物群により、分解、醗酵、腐敗し、肥料となり、また、醗酵熱により、水分が蒸発し、比較的乾燥した肥料が、収容容器２内に製造される。
【００９３】
収容容器２内に製造された肥料は、収容容器２の開閉扉Ｄを開いて収容容器２内から取り出す。その後、次の肥料の製造を行う。
【００９４】
この肥料の製造方法では、収容容器２として、円筒形状の容器３の側周内壁面Ｓ３ｂｉに、複数のリブ体４・・・を、容器３の中心軸３ａｘ方向に沿うように所定の間隔Ｗを隔てるように、容器３の中心軸３ａｘ方向に突出するように設け、複数の板体５・・・を、複数のリブ体４・・・の隣接するリブ体４とリブ体４との間に橋渡すように設けたものを用い、この収容容器２内に、肥料原料、微生物群、栄養源等を収容した後、収容容器２を回転させて、肥料を製造するようにしている。
【００９５】
即ち、この肥料の製造方法では、収容容器２の側周面を、容器３の側周内壁面Ｓ３ｂｉと、隣接するリブ体４とリブ体４との間に橋渡すように設けた複数の板体５・・・の２重構造としたので、収容容器２内の、複数のリブ体４・・・、隣接するリブ体４とリブ体４との間に橋渡すように設けた複数の板体５・・・より内側の空間領域が、外気温の影響を受け難い。
【００９６】
この結果、この肥料の製造方法を用いれば、収容容器２内の、複数のリブ体４・・・、隣接するリブ体４とリブ体４との間に橋渡すように設けた複数の板体５・・・より内側の空間領域が、外気温の影響を受け難いので、外気温の影響を受けることなく、即ち、季節による温度変動の影響を受けることなく、バッチ間で品質のバラツキの無い、肥料を製造することができる。
【００９７】
また、この肥料の製造方法では、円筒形状の容器３の側周内壁面Ｓ３ｂｉに、容器３の中心軸３ａｘ方向に沿うように所定の間隔を隔てるように、容器３の中心軸３ａｘ方向に突出するように設けられた複数のリブ体４・・・を備え、回転駆動手段６を駆動することで収容容器２を回転できるようにしているので、収容容器２を回転させれば、複数のリブ体４・・・の突起ｐ４・・・が、収容容器２内に収容された収容物を引っ掛けて上方に持ち上げ、上方から収容物を落下させるという動作を行える。
【００９８】
即ち、この肥料の製造方法を用いれば、収容容器２内に収容された収容物を万遍なく攪拌できるので、例えば、この分解装置１を用いて、肥料を製造すれば、品質にバラツキの無い、肥料を製造できる。
【００９９】
また、この肥料の製造方法では、板体５・・・として、木で製されているものを用いている。
【０１００】
このため、例えば、この肥料の製造方法を用いれば、肥料原料や、微生物群等を収容容器２内に収容し、微生物群を用いて、肥料原料を分解、醗酵、腐敗し肥料を製造した場合、微生物群が、板体５・・・内に住み着くことができる。
【０１０１】
または、板体５・・・にある貫通孔を通って、容器３の側周内壁面Ｓ３ｂｉ、容器３の一対の端面Ｓ３ａ、Ｓ３ａ、複数のリブ体４・・・の隣接するリブ体４とリブ体４、及び、複数のリブ体４・・・の隣接するリブ体４とリブ体４との間に橋渡すように設けられた複数の板体５・・・により形成される空間Ｓｐ・・・内に住み着くことができる。
【０１０２】
従って、この肥料の製造方法を用いて、肥料等を製造した場合、肥料を製造する工程が、バッチ式であっても、収容容器２内には、過去に肥料を製造した際の微生物群が住み着いているので、この微生物群が、例えば、肥料の製造に好適な菌である場合には、品質の良い、肥料を継続的に製造できる。
【０１０３】
即ち、この肥料の製造方法を用いれば、バッチ間で品質にバラツキの無い、肥料を製造できる。
【０１０４】
また、この肥料の製造方法では、円筒形状の容器３の材料として、熱伝導性の低い材料を用い、収容容器２内が、外気温の影響を受け難いようにしているので、外気温の影響を受けることなく、即ち、季節による温度変動の影響を受けることなく、バッチ間で品質のバラツキの無い、肥料を製造することができる。
【０１０５】
更にまた、この肥料の製造方法では、容器３の側周内壁面Ｓ３ｂｉ、容器３の一対の端面Ｓ３ａ、Ｓ３ａ、複数のリブ体４・・・の隣接するリブ体４とリブ体４、及び、複数のリブ体４・・・の隣接するリブ体４とリブ体４との間に橋渡すように設けられた複数の板体５・・・により形成される空間Ｓｐ・・・内に、炭７・・・を充填しているので、肥料原料を微生物群で分解、醗酵、腐敗させて、肥料にする際に、有機物が分解されても、その悪臭（腐敗臭）が、炭に吸着されるので、この分解装置を用いて、収容容器内に収容した収容物を分解する際に、装置の近傍においても、悪臭がしない。
【０１０６】
また、炭７・・・に微生物群が住み着くので、そのような微生物群が、例えば、肥料の製造に好適な菌である場合には、品質の良い、肥料を継続的に製造できる。
【０１０７】
即ち、この肥料の製造方法を用いれば、バッチ間で品質にバラツキの無い、肥料を製造できる。
【０１０８】
また、この肥料の製造方法では、肥料原料を分解、醗酵、腐敗させるための微生物群として、野菜及び／又は果物から糖質を用いて浸出させた浸出液を栄養源として増殖させた、野菜及び／又は果物の表面に常在する常在菌及び／又は空気中に浮遊している常在菌群を用いている。
【０１０９】
このような方法で得られる醗酵物は、酵母、乳酸菌その他の好気性菌又は嫌気性菌であり、飲用可能なものであることが知られている。
【０１１０】
この肥料の製造方法で製造される肥料中には、病原性の菌が産出するような毒素が存在していないので、安全性に優れている。
【０１１１】
且つ、この肥料の製造方法で製造される肥料中には、好気性菌又は嫌気性菌が含まれているので、この製造方法によって製造した肥料を土中に撒くと、これらの菌が、植物の成長にとって都合の良い土壌菌となるので、野菜や果物等の農作物を育成した場合、単に化学肥料や液肥のみを与えた場合に比べ、同じ期間の育成期間で、大きな野菜や果実、果実にあっては糖度の高く、味の良い果実を、また、野菜にあっては、味のある、味の良い野菜を生産できる。
【０１１２】
また、この肥料は、肥料中に微生物群を生菌として含んでいるので、この肥料を土壌に撒いた場合、肥料中に含まれる微生物群が、土壌中に繁殖し、土壌改良を行える。
【０１１３】
また、この肥料の製造方法において、肥料原料として、ひのき、杉その他の木材のおがくずを主たる成分として用いるようにしてもよい。
【０１１４】
この場合、上記した、野菜及び／又は果物と、砂糖とを用い、野菜及び／又は果物の表面に常在する常在菌及び／又は空気中に浮遊している常在菌群により、砂糖により野菜及び／又は果物から浸出した野菜汁及び／又は果汁を、所定期間、自然発酵させた醗酵液を、ひのき、杉その他の木材のおがくずに入れ、長期間（例えば、６ヶ月以上９ヶ月以下の期間）、攪拌を適宜しながら、ひのき、杉その他の木材のおがくずを醗酵させ、これを分解装置１の収容容器２中に、ひのき、杉その他の木材のおがくずの醗酵物が主たる肥料原料となるように、また、必要により、栄養源や生ごみ等とともに入れ、収容容器２を、適宜、回転させて、肥料を製造した場合には、微生物群中には、病原性微生物群が他の微生物群の食菌作用により、含まれていないか、殆ど含まれていない状態になる。
【０１１５】
更に、ひのき、杉その他の針葉樹を主たる肥料原料として用いた場合には、ひのき、杉その他の針葉樹に含まれている、ヒノキチオールその他の精油成分の働きにより、製造された肥料には、防虫効果があるので、農薬を使用する必要がなくなったり、農薬の使用量を減らすことができたりする、という効果もある。
【０１１６】
尚、上記の発明の実施の形態では、本発明に係る分解装置の一例として、リブ体４・・・や板材５・・・として木製のものを用いた例を示したが、リブ体４・・・や板材５・・・として木製のものに限られることはなく、例えば、貫通孔を少なくとも含む、レンガ等の焼成体製（セラミックス製）のような多孔質体であってもよい。
【０１１７】
また、上記の発明の実施の形態では、本発明に係る分解装置の一例として、肥料製造装置の場合を中心に説明したが、本発明に係る分解装置は、肥料製造装置に限定されることはなく、生ゴミ処理装置その他の微生物を利用して、廃棄物等を分解する装置であれば、いずれも、本発明に係る分解装置に含まれる。
【０１１８】
また、上記の発明の実施の形態では、本発明に係る分解装置の一例として、回転駆動手段６として、電動モータ等の回転動力手段６ａを備えるものについて説明したが、回転駆動手段６は、操作ハンドルを手動で回転させることで、収容容器２を回転させるようなものであってもよい。
【産業上の利用可能性】
【０１１９】
本発明に係る分解装置及び肥料の製造方法は、品質のバラツキが無く、且つ、肥料を製造する過程において、悪臭が発生しないので、肥料製造会社や、農家等で肥料の製造に用いる分解装置及び肥料の製造方法として好適に用いることができる。
【図面の簡単な説明】
【０１２０】
【図１】本発明に係る分解装置の一例を概略的に示す分解斜視図である。
【図２】図１に示す分解装置を模式的に示す正面図である。
【図３】図２中、Ａ−Ａ線に従う、図１に示す分解装置の模式的な一部切欠き斜視図である。
【図４】リブ体の形状と、リブ体と板体との関係を模式的に示す断面図である。
【図５】従来の肥料製造装置の一例を模式的に示す構成図である。
【符号の説明】
【０１２１】
１  分解装置（この例では、肥料製造装置）
２  円筒形状の容器
３  収容容器
４  リブ体
５  板体
６  回転駆動手段
７  炭
Ｓｐ  空間
【図１】
2005305346.tif 000003
【図２】
2005305346.tif 000004
【図３】
2005305346.tif 000005
【図４】
2005305346.tif 000006
【図５】
2005305346.tif 000007